(57)【要約】【課題】予約情報に基づき、それぞれが0系及び1系から成る冗長２重化伝送路を切り替える命令を伝送路切替装置に対して与える運用予約制御装置に関し、フレームの欠損を発生することなく伝送路を切り替える。【解決手段】予約情報生成部140が、運用予約申込に基づき最適な0系及び1系伝送路を生成し、該0系及び1系伝送路200_0，200_1を構成する伝送路切替制御部120に与える伝送路切替命令80x_1〜80x_8から成る予約情報130を生成し、連続予約情報選択部110が、予約情報130の内から、送信装置10及び受信装置30が同一で予約時間が連続し且つ冗長２重化伝送路200_0，200_1が異なる１組の予約情報を選択し、伝送路切替制御部120が、該選択された予約情報130に係る冗長２重化伝送路同士を切り替える時の0系伝送路200_0と1系伝送路200_1の切替時間をずらした切替命令80x_1〜80x_8を生成する。【選択図】      図１
2005354363.tif 000002
【特許請求の範囲】
【請求項１】
予約情報に基づき、それぞれが0系及び1系から成る冗長２重化伝送路を切り替える命令を伝送路切替装置に対して与える運用予約制御方法であって、
複数の予約情報の内から、送信装置及び受信装置が同一で予約時間が連続し且つ冗長２重化伝送路が異なる１組の予約情報を選択する第１ステップと、
該選択された予約情報に係る冗長２重化伝送路同士を切り替える時の該0系伝送路と該1系伝送路の切替時間をずらした該切替命令を生成する第２ステップと、
を有することを特徴した運用予約制御方法。
【請求項２】
請求項１において、
該第１ステップの前に、運用予約申込に基づき最適な0系及び1系伝送路を生成し、該0系及び1系伝送路を構成する伝送路切替制御部に与える伝送路切替命令から成る該予約情報を生成する第３ステップをさらに有することを特徴とした運用予約制御方法。
【請求項３】
予約情報に基づき、それぞれが0系及び1系から成る冗長２重化伝送路を切り替える命令を伝送路切替装置に対して与える運用予約制御装置であって、
複数の該予約情報の内から、送信装置及び受信装置が同一で予約時間が連続し且つ冗長２重化伝送路が異なる１組の予約情報を選択する連続予約情報選択部と、
該選択された予約情報に係る冗長２重化伝送路同士を切り替える時の該0系伝送路と該1系伝送路の切替時間をずらした該切替命令を生成する伝送路切替制御部と、
を備えたことを特徴とする運用予約制御装置。
【請求項４】
請求項３において、
運用予約申込に基づき最適な0系及び1系伝送路を生成し、該0系及び1系伝送路を構成する伝送路切替制御部に与える伝送路切替命令から成る該予約情報を生成する予約情報生成部をさらに備えたことを特徴とする運用予約制御装置。
【請求項５】
請求項３において、
該伝送路切替制御部は、該0系伝送路及び1系伝送路の内の少なくとも一方の切替時間を前方又は後方にずらすことを特徴した運用予約制御装置。
【発明の詳細な説明】
【技術分野】
【０００１】
本発明は、運用予約制御方法及び装置に関し、特に、予約情報に基づき、それぞれが0系及び1系から成る冗長２重化伝送路を切り替える命令を伝送路切替装置に対して与える運用予約制御方法及び装置に関する。
【０００２】
近年、通信技術の急速な発展に伴い、データ、音声、及び映像等の多様な情報を統合化した大容量のマルチメディア情報を高速で通信することが可能になって来ている。このような通信においては信頼性が重要であり、これに対応した通信技術の１つとして冗長２重化伝送方式がある。
【背景技術】
【０００３】
図７は、一般的な運用予約制御装置100aで制御される映像伝送システムにおける冗長２重化伝送路を示している。伝送路切替装置20_1〜20_8(以下、符号20で総称することがある。)及び伝送路40_1〜40_12でネットワークが構成され、このネットワークに送信装置10及び受信装置30が接続されている。伝送路切替装置20_1〜20_8には、運用予約制御装置100aが接続されており、この運用予約制御装置100aは、伝送路切替装置20_1〜20_8に含まれた切替スイッチ21に対して、それぞれ、伝送路切替命令80a_1〜80a_8を与え、送信装置10と受信装置30との間を接続する0系及び1系から成る冗長２重化伝送路を設定する。
【０００４】
この冗長２重化伝送路は、同図の例の送信装置10と受信装置30との間において、伝送路40_1−伝送路切替装置20_1−伝送路40_2−伝送路切替装置20_2−伝送路40_3−伝送路切替装置20_4−伝送路40_4を含む0系伝送路200_0と、伝送路40_7−伝送路切替装置20_5−伝送路40_8−伝送路切替装置20_6−伝送路40_9−伝送路切替装置20_8−伝送路40_10を含む1系伝送路200_1とで構成されている。
【０００５】
送信装置10は、フレーム70_1，70_2，…(図示せず。)を0系及び1系の伝送路双方に送出する。受信装置30は、無瞬断機能部31を備えており、この無瞬断機能部31は、0系及び1系の伝送路200_0及び200_1双方からフレーム70_1，70_2，…(以下、符号70で総称することがある。)を受信する。
【０００６】
図８は、無瞬断機能部31の動作例を示している。この動作例を以下に説明する。
【０００７】
ステップT10：無瞬断機能部31は、0系伝送路から入力したフレーム70_1，70_2，…の内で同期内に間に合わなかったフレーム70_1，70_4を破棄し、他のフレーム70_2，70_3，70_5，70_6，…を同期セル32に格納する。同様に、無瞬断機能部31は、1系伝送路から入力したフレーム70_1，70_2，…の内の同期内に間に合わなかったフレーム70_3を破棄し、他のフレーム70_1，70_2，70_4，…を同期セル32に格納する。
【０００８】
ステップT11：無瞬断機能部31は、同期セル32の一方のみが格納されたフレーム70_1，70_3，70_4…を出力し、同期セル32の双方に格納されたフレーム70_2，70_5，70_6…の内の早く到着したフレームを出力する。これにより、フレーム70を無瞬断で受信・転送することが可能になる。
【０００９】
図９は、運用予約制御装置100aにおける動作例を示している。この動作例を以下に説明する。
【００１０】
ステップS50：運用予約制御装置100aは、送信装置10と受信装置30の間を、時間10:00〜11:00において接続する予約申込60iを受付ける。
【００１１】
ステップS51：運用予約制御装置100aは、予約申込60iに対応する最適な冗長２重化伝送路を決定する。この時点での冗長２重化伝送路は、送信装置10−伝送路切替装置20_1−伝送路切替装置20_2−伝送路切替装置20_4−受信装置30を経由する0系伝送路と、送信装置10−伝送路切替装置20_5−伝送路切替装置20_6−伝送路切替装置20_8−受信装置30を経由する1系伝送路で構成されている(図７参照。)。
【００１２】
ステップS52：運用予約制御装置100aは、ステップS51で決定した0系及び1系伝送路における伝送路切替装置を指定された時間に設定するための切替命令を生成し予め登録する。すなわち、運用予約制御装置100aは、予約申込60iで指定された接続開始時刻で、0系及び1系伝送路に関係する全ての伝送路切替装置20に対してパス接続を行う切替命令を予め登録し、予約申込60i指定された接続終了時刻で、0系及び1系伝送路に関係する全ての伝送路切替装置20に対してパス切断を行う切替命令を予め登録する。
【００１３】
同図には、(1)伝送路切替装置20_1向けの切替命令80a_1a，80a_1b、(2)伝送路切替装置20_2向けの切替命令80a_2a，80a_2b、(3)伝送路切替装置20_4向けの切替命令80a_4a，80a_4b、(4)伝送路切替装置20_5向けの切替命令80a_5a，80a_5b、(5)伝送路切替装置20_6向けの切替命令80a_6a，80a_6b、(6)伝送路切替装置20_8向けの切替命令80a_8a，80a_8bが登録されている。
【００１４】
ステップS60：運用予約制御装置100aは、ステップS50と同様に、同じ送信装置10と受信装置30との間を、時間11:00〜12:00において接続する予約申込60jを受付ける。
【００１５】
ステップS61：運用予約制御装置100aは、ステップS51と同様に、予約申込60jに対応する最適な冗長２重化伝送路を決定する。この冗長２重化伝送路は、送信装置10−伝送路切替装置20_1−伝送路切替装置20_3−伝送路切替装置20_4−受信装置30を経由する0系伝送路200_0と、送信装置10−伝送路切替装置20_5−伝送路切替装置20_7−伝送路切替装置20_8−受信装置30を経由する1系伝送路200_1で構成されている。
【００１６】
ステップS62：運用予約制御装置100aは、ステップS52と同様に、伝送路切替装置に与える切替命令を予め登録する。同図には、(7)伝送路切替装置20_1向けの切替命令80a_1c，80a_1d、(8)伝送路切替装置20_3向けの切替命令80a_3c，80a_3d、(9)伝送路切替装置20_4向けの切替命令80a_4c，80a_4d、(10)伝送路切替装置20_5向けの切替命令80a_5c，80a_5d、(11)伝送路切替装置20_7向けの切替命令80a_7c，80a_7d、(12)伝送路切替装置20_8向けの切替命令80a_8c，80a_8dが登録されている。
【００１７】
ステップS53，S63：運用予約申込60i，60jで指定された開始時刻で関係する全ての切替装置20に対してパス接続命令(切替命令)80aを与え、指定された終了時刻で関係する全ての切替装置20に対してパス切断命令(切替命令)80aを与える。
【００１８】
一方、ユーザからの要求に応じて回線の帯域を予約する方法として、回線予約方法(運用予約制御方法)がある(例えば、特許文献１参照)。
【特許文献１】特開平8−12654号公報(２頁、図１)
【発明の開示】
【発明が解決しようとする課題】
【００１９】
図９に示したように、各伝送路(パス)の予約確保状況によっては、例えば、１つの番組を伝送する時間内において、途中で伝送路が切り替わる構成となる場合がある。これは、上記の特許文献１においても同様である。
【００２０】
また、従来の技術では、伝送路切替装置20に送出する切替命令80aの時刻は、指定された時刻そのままであるため、上記の伝送路切替のスイッチ動作が、冗長２重化を構成する切替装置20内で同時に行われてしまい、受信装置30側での無瞬断機能部31では、２重化されている0系及び1系双方ともフレーム70の一部が欠損することとなり、映像断や映像の乱れが発生する。
【００２１】
図10は、伝送路切替に伴う映像フレームが欠損するときの動作例を示しており、以下、これについての動作を説明する。
【００２２】
ステップS70：0系側の伝送路切替装置20_1は、例えば、0系映像フレーム70_1，70_2，70_3，…を受信するが、パス切替の間、フレーム70_2を送信することができないため、パス切替前、フレーム70_1を伝送路40_2に送出し、パス切替時、フレーム70_2を破棄し、パス切替完了後、フレーム70_3を伝送路40_5に送出する。
【００２３】
ステップS71：同様に、1系側の伝送路切替装置20_5は、1系映像フレーム70_1，70_2，70_3，…を受信し、0系側の伝送路切替時間と同一時刻に伝送路切替えを行い、パス切替前、フレーム70_1を伝送路40_8に送出し、パス切替時、フレーム70_2を破棄し、パス切替完了後、フレーム70_3を伝送路40_11に送出する。
【００２４】
ステップS72，S73：受信装置30において、無瞬断機能部31は、0系伝送路40_4及び1系伝送路40_10のいずれからもフレーム70_2を受信しないため、フレーム70_2の欠損を救うことができない。この結果、無瞬断機能部31が出力する映像信号(フレーム)には、映像ショックが含まれる。
【００２５】
また、図７において、同時に、0系伝送路(切替装置20_1−切替装置20_2−切替装置20_4)から0系伝送路(切替装置20_1−切替装置20_3−切替装置20_4)への切替、1系伝送路(切替装置20_5−切替装置20_6−切替装置20_8)から1系伝送路(切替装置20_5−切替装置20_7−切替装置20_8)への切替を行った場合、各系の伝送路の伝送遅延に起因するフレーム欠損が発生する。例えば、伝送遅延が1msの場合、その分だけのフレームが欠損する。
【００２６】
従って、本発明は、予約情報に基づき、それぞれが0系及び1系から成る冗長２重化伝送路を切り替える命令を伝送路切替装置に対して与える運用予約制御方法及び装置において、フレームの欠損を発生することなく伝送路を切り替えることを課題とする。
【課題を解決するための手段】
【００２７】
上記の課題を解決するために本発明の運用予約制御方法は、予約情報に基づき、それぞれが0系及び1系から成る冗長２重化伝送路を切り替える命令を伝送路切替装置に対して与える運用予約制御方法であって、複数の予約情報の内から、送信装置及び受信装置が同一で予約時間が連続し且つ冗長２重化伝送路が異なる１組の予約情報を選択する第１ステップと、該選択された予約情報に係る冗長２重化伝送路同士を切り替える時の該0系伝送路と該1系伝送路の切替時間をずらした該切替命令を生成する第２ステップとを有することを特徴している。
【００２８】
第１ステップにおいて、該予約情報の内から、送信装置及び受信装置が同一で、予約時間が、例えば、第１の予約情報の予約時間＝10:00〜11:00及び第２の予約情報の予約時間＝11:00〜12:00のように連続し、且つ冗長２重化伝送路が異なる１組の予約情報を選択する。そして、第２ステップにおいて、選択された予約情報の冗長２重化伝送路同士を切り替える時、すなわち、11:00の該0系伝送路と該1系伝送路の切替時間をずらした切替命令を生成する。
【００２９】
これにより、フレームの欠損を発生することなく伝送路を切り替えることが可能になり、例えば、映像の乱れを回避することが可能になる。
【００３０】
また、本発明では、該第１ステップの前に、運用予約申込に基づき最適な0系及び1系伝送路を生成し、該0系及び1系伝送路を構成する伝送路切替制御部に与える伝送路切替命令から成る該予約情報を生成する第３ステップをさらに有することが可能である。
【００３１】
すなわち、第３ステップにおいて、例えば、受信した運用予約申込、送信装置、受信装置を予約開始時刻及び終了時刻等に基づき、最適な0系及び1系伝送路を生成し、予約情報として登録する。さらに、第３ステップにおいて、生成した0系及び1系伝送路を設定するために、必要な伝送路切替装置に与える伝送路切替命令を生成し予約情報として登録する。
【００３２】
これにより、運用予約申込を伝送路切替命令等の予約情報を生成することが可能になる。
【００３３】
また、本発明では、該第２ステップにおいて、該0系伝送路及び1系伝送路の内の少なくとも一方の切替時間を前方又は後方にずらすことができる。
【００３４】
すなわち、例えば、1系伝送路の切替時間を後方にずらしてもよく、0系伝送路の切替時間を後方にずらすとともに、1系伝送路の切替時間を前方にずらしてもよい。
【００３５】
さらに、本発明では、該第２ステップにおいて、該ずらす時間を少なくとも該0系伝送路及び1系伝送路の伝送遅れ以上とすることができる。
【００３６】
これにより、伝送遅れに起因するフレーム損失を無くすことが可能になる。
【００３７】
上記の本方法を実現するために本発明の運用予約制御装置は、予約情報に基づき、それぞれが0系及び1系から成る冗長２重化伝送路を切り替える命令を伝送路切替装置に対して与える運用予約制御装置であって、複数の該予約情報の内から、送信装置及び受信装置が同一で予約時間が連続し且つ冗長２重化伝送路が異なる１組の予約情報を選択する連続予約情報選択部と、該選択された予約情報に係る冗長２重化伝送路同士を切り替える時の該0系伝送路と該1系伝送路の切替時間をずらした該切替命令を生成する伝送路切替制御部とを備えたことを特徴としている。
【００３８】
すなわち、運用予約制御装置は、伝送路切替装置及び伝送路で構成されたネットワークにおいて、予約情報で指定された予約時間において、指定された送信装置及び受信装置間に、0系及び1系から成る冗長２重化伝送路を、伝送路切替装置に切替命令を与えることにより設定するものである。
【００３９】
本発明の運用予約制御装置は、連続予約情報選択部及び伝送路切替制御部を備えている。連続予約情報選択部は、該予約情報の内から、送信装置及び受信装置が同一で、予約時間が、例えば、第１の予約情報の予約時間＝10:00〜11:00及び第２の予約情報の予約時間＝11:00〜12:00のように連続し、且つ冗長２重化伝送路が異なる１組の予約情報を選択する。そして、伝送路切替制御部は、選択された予約情報の冗長２重化伝送路同士を切り替える時、すなわち、11:00の該0系伝送路と該1系伝送路の切替時間をずらした切替命令を生成する。
【００４０】
これにより、フレームの欠損を発生することなく伝送路を切り替えることが可能になり、例えば、映像の乱れを回避することが可能になる。
【００４１】
また、本発明では、運用予約申込に基づき最適な0系及び1系伝送路を生成し、該0系及び1系伝送路を構成する伝送路切替制御部に与える伝送路切替命令から成る該予約情報を生成する予約情報生成部をさらに備えることが可能である。
【００４２】
すなわち、予約情報生成部は、例えば、受信した運用予約申込、送信装置、受信装置を予約開始時刻及び終了時刻等に基づき、最適な0系及び1系伝送路を生成し、予約情報として登録する。さらに、予約情報生成部は、生成した0系及び1系伝送路を設定するために、必要な伝送路切替装置に与える伝送路切替命令を生成し予約情報として登録する。
【００４３】
これにより、運用予約申込を伝送路切替命令等の予約情報を生成することが可能になる。
【００４４】
また、本発明では、伝送路切替制御部は、該0系伝送路及び1系伝送路の内の少なくとも一方の切替時間を前方又は後方にずらすことができる。
【００４５】
さらに、本発明では、該伝送路切替制御部は、該ずらす時間を少なくとも該0系伝送路及び1系伝送路の伝送遅れ以上とすることができる。
【００４６】
これにより、伝送遅れに起因するフレームの損失を無くすことが可能になる。
【発明の効果】
【００４７】
以上説明したように、本発明の運用予約制御方法及び装置によれば、冗長構成を活用した時間差切替を行うことで、切替装置内の切替タイミングに起因するフレーム欠損、及び切替装置間の伝送遅れに起因するフレーム遅れに起因するフレーム損失を無くすことが可能になり、映像断及び乱れを回避できる。また、時間が連続した異なる伝送路割当予約において、例えば、同一の伝送路に割当変更や再割当をすることなく運用が行えるため、運用回線割当作業効率が大幅に向上する。さらに、映像断を考慮した伝送路構成の制限がなくなるため、伝送路割当が効率的に行える。
【発明を実施するための最良の形態】
【００４８】
図１は、本発明の運用予約制御装置100xの実施例を示している。この運用予約制御装置100xは、連続予約情報選択部110、伝送路切替制御部120、及び予約情報テーブル130を備えている。運用予約制御装置100xが制御するネットワークは、図７で示したネットワークと同様であり、送信装置10、受信装置30、伝送路切替装置20_1〜20_8、及び伝送路40_1〜40_12で構成されている。運用予約制御装置100xは、それぞれ、伝送路切替装置20_1〜20_8に対して切替命令80x_1〜80x_8(以下、符号80xで総称することがある。)をDCN網(Data Communication Network)50経由で与え、伝送路を切り替える。
【００４９】
図２は、運用予約制御装置100xの動作アルゴリズムを示している。
【００５０】
図３は、運用予約制御装置100xにおいて、予約情報生成部140が受け付けた運用予約申込60i及び60jに対して生成された最適経路(以下、パス又は伝送路と称することがある。)及び伝送路切替命令80xを示している。ここで、ステップS20の運用予約申込60i及びステップS30の60jは、図９のステップS50及びステップS60で示した運用予約申込60i及び60jと同じものとする。
【００５１】
以下に、図２のアルゴリズムを、図３を参照して説明する。
【００５２】
ステップS11：運用予約制御装置100xは、運用予約申込60iで指定された送信装置10から受信装置30まで0系及び1系の最適経路をそれぞれ生成する(図３のステップS21参照。)。生成された0系及び1系の最適経路は、それぞれ、図９に示した0系及び1系の最適経路と同様である。
【００５３】
ステップS12：生成した最適経路に必要な伝送路切替装置20_1，…，20_8に対する伝送路切替命令80x_1a，80x_1b，…，80x_8a，80x_8bを生成する。生成された伝送路切替命令80x_1a，80x_1b，…，80x_8a，80x_8bは、図９に示した伝送路切替命令80a_1a，80a_1b，…，80a_8a，80a_8bと同じである。
【００５４】
ここで、ステップS11で、さらに、図９で示したステップS60の運用予約申込60jと同様の運用予約申込60jが行われ(図３のステップS30参照。)、ステップS12の最適経路生成が行われたものとする(同図ステップS31参照。)。同図のステップS31に生成された最適経路が示されており、これは図９のステップS61の最適経路と同様である。
【００５５】
そして、ステップS12で、最適経路に必要な伝送路切替装置20に対する伝送路切替命令80xが生成される。この切替命令80xは、図９のステップS62で生成された切替命令80aと同じである。
【００５６】
ステップS13：連続予約情報選択部110は、今回の運用予約申込60jでされた送信装置10及び受信装置30が共に同じ運用予約申込が過去になされているか否かを検出する。
【００５７】
ステップS14：送信装置及び受信装置が同一の運用予約申込が過去になされていた場合、検出された過去の運用予約申込60jの終了時刻又は開始時刻が、今回の運用予約申込60jの開始時刻又は終了時刻が一致し、すなわち、予約時間が連続しているか否かをチェックする。
【００５８】
過去の運用予約申込60iの終了時刻＝“11:00”と今回の運用予約申込60jの開始時刻＝“11:00”が一致し予約時間が連続していることが分かる。
【００５９】
ステップS15：予約時間が連続した運用予約申込がある場合、切替命令の内の１系の一致した終了(切断)時刻を１分だけプラス側にずらして書き換える。
【００６０】
図３において、過去の運用予約申込60iの終了(切断)時刻と今回の運用予約申込60jの開始時刻が一致して連続しているので、ステップS22の(4)〜(6)の切替命令80x_5b，80x_6b，80x_8bの終了時刻(パス切断時刻)＝“11:00”を“11:01”に書き換えている。
【００６１】
同様に、切替命令の内の１系の一致した開始(接続)時刻を１分だけプラス側にずらして書き換える。
【００６２】
図３において、ステップS32の(10)〜(12)の切替命令80x_5c，80x_7c，80x_8cの開始時刻(パス接続時刻)＝“11:00”を“11:01”に書き換えている。
【００６３】
図４は、図３のステップS22及びS32で生成された切替命令80x_1a〜80x_1d，…，80x_8a〜80x_8dを実行した場合に、設定される0系及び1系の伝送路を示している。
【００６４】
同図(1)は、時刻10:00〜11:00における伝送路を示しており、0系伝送路は、送信装置10、切替装置20_1、切替装置20_2、切替装置20_4、及び受信装置30を経由した伝送路であり、1系伝送路は、送信装置10、切替装置20_5、切替装置20_6、切替装置20_8、及び受信装置30を経由した伝送路である。
【００６５】
同図(2)は、時刻11:00〜11:01における伝送路を示しており、0系伝送路は、送信装置10、切替装置20_1、切替装置20_3、切替装置20_4、及び受信装置30を経由した伝送路であり、1系伝送路は、同図(1)の1系伝送路と同じである。0系伝送路において、11:00の切替時にフレーム70の破棄(欠損)が発生するが、1系伝送路において、11:00の切替は無いのでフレーム70の破棄が発生しない。
【００６６】
同図(3)は、時刻11:01〜12:00における伝送路を示しており、0系伝送路は、同図(2)の0系伝送路と同じであり、1系伝送路は、送信装置10、切替装置20_5、切替装置20_7、切替装置20_8、及び受信装置30を経由した伝送路である。0系伝送路において、11:01の切替は無いのでフレーム70の破棄が発生しないが、1系伝送路において、11:01の切替時にフレーム70の破棄(欠損)が発生する。
【００６７】
図５は、図４の伝送路切替装置20_4，20_8、及び受信装置30を示し、特に、切替装置20_4，20_8と受信装置30との間のパス(伝送路)切替(接続)状態を示している。同図で示したようにパス切替は、以下のように切り替える。
【００６８】
ステップS40:伝送路40_3と伝送路40_4との間の接続。
【００６９】
ステップS41:伝送路40_9と伝送路40_10との間の接続。
【００７０】
ステップS42:伝送路40_6と伝送路40_4との間の接続。
【００７１】
ステップS43:伝送路40_12と伝送路40_10との間の接続。
【００７２】
図６は、上記のステップS40〜S43におけるパス接続状態、及び受信装置30が入力及び出力するフレームを示している。この動作を以下に説明する。
【００７３】
時刻10:00に、伝送路40_3と伝送路40_4との間の接続(図５のステップS40参照。)及び伝送路40_9と伝送路40_10との間の接続(同図ステップS41参照。)をするパス切替動作が実行される。
【００７４】
伝送路切替装置20_4は、0系の伝送路40_4に映像フレーム70_1を送出し、伝送路切替装置20_8は、1系の伝送路40_10に映像フレーム70_2を送出し、受信装置30は、0系及び1系双方からフレーム70_1，70_2を受信し、この内の先に到達した、例えばフレーム70_1を出力する。
【００７５】
時刻11:00に、伝送路40_6と伝送路40_4との間を接続する(図５のステップS42参照。)パス切替動作が実行される。
【００７６】
伝送路切替装置20_4において、パス切替動作時点、入力伝送路40_3が入力伝送路40_6に切り替わるため、フレーム71_1の欠損が発生する。伝送路切替装置20_8は、1系の伝送路40_10に映像フレーム71_2を送出し続け、受信装置30は、1系のみからフレーム71_2を受信し、このフレーム71_2を出力する。
【００７７】
時刻11:01に、伝送路40_12と伝送路40_10との間を接続する(同図ステップS43参照。)パス切替動作が実行される。
【００７８】
伝送路切替装置20_4は、0系の伝送路40_4に映像フレーム72_1を送出し続け、伝送路切替装置20_8において、パス切替動作時点、入力伝送路40_9が入力伝送路40_12に切り替わるため、フレーム72_2の欠損が発生する。受信装置30は、0系のみからフレームを受信し、このフレーム72_1を出力する。
【００７９】
時刻11:30に、伝送路切替装置20_4は、0系の伝送路40_4に映像フレーム73_1(図示せず。)を送出し、伝送路切替装置20_8は、1系の伝送路40_10に映像フレーム73_2を送出し、受信装置30は、0系及び1系双方からフレームを受信し、この内の先に到達した、例えば、フレーム73_1を出力する。
【００８０】
このように、本発明の運用予約制御装置100xによれば、伝送路切替時に従来発生していたフレームの欠損を無くすことが可能になる。
（付記１）
予約情報に基づき、それぞれが0系及び1系から成る冗長２重化伝送路を切り替える命令を伝送路切替装置に対して与える運用予約制御方法であって、
複数の予約情報の内から、送信装置及び受信装置が同一で予約時間が連続し且つ冗長２重化伝送路が異なる１組の予約情報を選択する第１ステップと、
該選択された予約情報に係る冗長２重化伝送路同士を切り替える時の該0系伝送路と該1系伝送路の切替時間をずらした該切替命令を生成する第２ステップと、
を有することを特徴した運用予約制御方法。
（付記２）上記の付記１において、
該第１ステップの前に、運用予約申込に基づき最適な0系及び1系伝送路を生成し、該0系及び1系伝送路を構成する伝送路切替制御部に与える伝送路切替命令から成る該予約情報を生成する第３ステップをさらに有することを特徴とした運用予約制御方法。
（付記３）上記の付記１において、
該第２ステップにおいて、該0系伝送路及び1系伝送路の内の少なくとも一方の切替時間を前方又は後方にずらすことを特徴した運用予約制御方法。
（付記４）上記の付記１において、
該第２ステップにおいて、該ずらす時間が少なくとも該0系伝送路及び1系伝送路の伝送遅れ以上であることを特徴した運用予約制御方法。
（付記５）
予約情報に基づき、それぞれが0系及び1系から成る冗長２重化伝送路を切り替える命令を伝送路切替装置に対して与える運用予約制御装置であって、
複数の該予約情報の内から、送信装置及び受信装置が同一で予約時間が連続し且つ冗長２重化伝送路が異なる１組の予約情報を選択する連続予約情報選択部と、
該選択された予約情報に係る冗長２重化伝送路同士を切り替える時の該0系伝送路と該1系伝送路の切替時間をずらした該切替命令を生成する伝送路切替制御部と、
を備えたことを特徴とする運用予約制御装置。
（付記６）上記の付記５において、
運用予約申込に基づき最適な0系及び1系伝送路を生成し、該0系及び1系伝送路を構成する伝送路切替制御部に与える伝送路切替命令から成る該予約情報を生成する予約情報生成部をさらに備えたことを特徴とする運用予約制御装置。
（付記７）上記の付記５において、
該伝送路切替制御部は、該0系伝送路及び1系伝送路の内の少なくとも一方の切替時間を前方又は後方にずらすことを特徴した運用予約制御装置。
（付記８）上記の付記５において、
該伝送路切替制御部が、該ずらす時間を少なくとも該0系伝送路及び1系伝送路の伝送遅れ以上とすることを特徴した運用予約制御装置。
【図面の簡単な説明】
【００８１】
【図１】本発明に係る運用予約制御方法を用いた運用予約制御装置の実施例を示したブロック図である。
【図２】本発明に係る運用予約制御装置のアルゴリズム例を示したフローチャート図である。
【図３】本発明に係る運用予約制御装置における運用予約申込に基づき発生した伝送路切替命令を示した図である。
【図４】本発明に係る運用予約制御装置で制御される伝送路切替装置の各時刻における伝送路切替動作例を示した図である。
【図５】本発明に係る運用予約制御装置で制御される伝送路切替装置と受信装置との間のパス(接続)状態を示した図である。
【図６】本発明に係る運用予約制御装置で制御される伝送路切替装置の状態及び受信装置が入出力するフレームを示した図である。
【図７】一般的な映像伝送システムにおける冗長２重化伝送路示したブロック図である。
【図８】一般的な無瞬断機能部の動作を示したブロック図である。
【図９】従来の運用予約制御装置における運用予約申込に基づき発生した伝送路切替命令
【図１０】従来の運用予約制御装置で制御される伝送路切替装置と受信装置との間のパス(接続)状態を示した図である。
【符号の説明】
【００８２】
100a，100x  運用予約制御装置
110  連続予約情報選択部               120  伝送路切替制御部
130  予約情報テーブル                 140  予約情報生成部
200_0  0系伝送路                      200_1  1系伝送路
10  送信装置                          20，20_1〜20_8  伝送路切替装置
21  切替スイッチ                      30  受信装置
31  無瞬断機能部                      32  同期セル
40_1〜40_12  伝送路                   50  DCN網
60i，60j  運用予約申込
70，70_1〜76_1，70_2〜76_2，70_3  フレーム、パケット
80a，80a_1〜80a_8，80x，80x_1〜80x_8  伝送路切替命令
図中、同一符号は同一又は相当部分を示す。
【図１】
2005354363.tif 000003
【図２】
2005354363.tif 000004
【図３】
2005354363.tif 000005
【図４】
2005354363.tif 000006
【図５】
2005354363.tif 000007
【図６】
2005354363.tif 000008
【図７】
2005354363.tif 000009
【図８】
2005354363.tif 000010
【図９】
2005354363.tif 000011
【図１０】
2005354363.tif 000012